(57)【要約】【課題】  切替制御を容易かつ装置を大型化することなく異なった系列の放送局への番組信号を送出する番組送出設備および伝送路切替方法を提供する。【解決手段】  複数のコンテンツ送出装置３（＃１〜＃ｎ）から出力される番組信号をスイッチャ１に入力し、ＳＣＰ２により指定されたコンテンツ送出装置３（＃１）からの番組信号をコンテンツ選択ラインＣＬの出力からネットインタフェース４（＃１）、（＃２）へ入力ことにより異なる局系列の番組信号を生成し、その生成された番組信号を再びスイッチャ１の切替入力に入力し、選択されたネット選択ラインＮＬを介してネットワークへ出力する。【選択図】  図１
2008011440.tif 000002
【特許請求の範囲】
【請求項１】
放送番組の複数のコンテンツから選択された放送番組の番組信号を異なるネット系列の放送局へ送出する番組送出設備において、
前記複数のコンテンツの中から放送番組の選択と前記選択された放送番組の送出先のネットワークを指定する制御信号をスイッチャに送信する接続制御手段と、
ブランキングスイッチングを行うマトリクススイッチャであって、
各前記コンテンツを送出する装置に対応して映像信号が入力されるコンテンツ入力端子と、
前記受信する制御信号の指定に従って前記入力される映像信号の何れかが番組信号として選択して出力されるコンテンツ出力端子と、
前記コンテンツ出力端子から出力された前記番組信号が入力される番組信号入力端子と、前記入力される番組信号の何れかが前記制御信号の指定に従って前記所定の前記ネット系列の放送局へのネットワークに出力される番組信号出力端子とを備えるスイッチャとを
具備することを特徴とする番組送出設備。
【請求項２】
前記番組送出設備は、
更に前記各ネット系列に対応するインタフェース処理を行うインタフェース手段を備え、
各前記インタフェース手段は、
前記コンテンツ出力端子から前記番組信号が入力され、前記インタフェース処理が行われた前記番組信号が、各所定の前記ネット系列の前記番組信号入力端子へ入力されていることを特徴とする請求項１の番組送出設備。
【請求項３】
前記番組送出設備は、
更に前記各ネット系列に対応するインタフェース処理を行うインタフェース手段を備え、
前記コンテンツ出力端子から出力される前記番組信号が所定の前記各ネット系列の前記番組信号入力端子へ入力され、
各前記インタフェース手段は、
各前記番組信号出力端子と前記各ネット系列の放送局へのネットワークとの間に挿入されている
ことを特徴とする請求項１の番組送出設備。
【請求項４】
前記各放送局と前記スイッチャとの間を接続するネットワークは、前記各放送局の間で共有され、同じ前記ネットワークを介して番組信号が伝送されていることを特徴とする請求項３に記載の番組送出設備。
【請求項５】
前記接続制御手段は、
前記放送局が放送する放送番組の番組時刻表を元に、番組信号の送出時刻と番組信号のコンテンツを設定管理するＳＣＰで有ることを特徴とする
請求項１乃至４の何れか１つに記載の番組送出設備。
【請求項６】
接続制御手段とマトリクススイッチングを行うスイッチャとを備え、放送局の複数のコンテンツから選択された番組信号を異なるネット系列の放送局へ送出する番組送出設備の伝送路切替方法において、
前記接続制御手段は、前記コンテンツの中から放送番組の選択と前記選択された放送番組の送出先のネットワークを指定する制御信号を前記スイッチャへ送信し、
前記制御信号を受信する前記スイッチャは、
前記複数のコンテンツ出力する各装置から出力される映像信号が前記各装置に対応するコンテンツ入力端子に入力され、
前記入力される映像信号の何れかを前記制御信号の指定に従ったブランキングスイッチングを行い番組信号としてコンテンツ出力端子へ出力し、
前記コンテンツ出力端子から出力された前記番組信号は、各所定の前記ネット系列の放送局に向けて入力される番組信号入力端子に入力され、
前記番組信号入力端子に前記入力される番組信号の何れかが、前記制御信号の指定に従いブラキングスイッチングにより前記ネット系列の放送局向けに選択された前記番組信号として、前記所定の前記ネット系列の放送局へのネットワークに出力される
ことを特徴とする番組送出設備の伝送路切替方法。
【請求項７】
前記番組送出設備は、
更に前記各ネット系列に対応するインタフェース処理を行うインタフェース手段を備え、
各前記インタフェース手段は、
前記コンテンツ出力端子から出力される前記番組信号が入力され、前記インタフェース処理が行われた前記番組信号が、各所定の前記ネット系列の前記番組信号入力端子へ入力されていることを特徴とする請求項６の番組送出設備の伝送路切替方法。
【請求項８】
前記番組送出設備は、
更に前記各ネット系列に対するインタフェース処理を行うインタフェース手段を備え、
前記コンテンツ出力端子から出力される前記番組信号が所定の前記各ネット系列の前記番組信号入力端子へ入力され、
各前記インタフェース手段は、
各前記番組信号出力端子と前記各ネット系列の放送局へのネットワークとの間に挿入されている
ことを特徴とする請求項６の番組送出設備の伝送路切替方法。
【請求項９】
前記各放送局と前記スイッチャとの間を接続するネットワークは、前記各放送局の間で共有され、同じ前記ネットワークを介して番組信号が伝送されていることを特徴とする請求項８に記載の番組送出設備の伝送路切替方法。
【請求項１０】
前記接続制御手段は、
前記放送局が放送する放送番組の番組時刻表を元に、番組信号の送出時刻と番組信号のコンテンツを設定管理するＳＣＰで有ることを特徴とする
請求項６乃至９の何れか１つに記載の番組送出設備の伝送路切替方法。
【発明の詳細な説明】
【技術分野】
【０００１】
本発明は、異なった放送局系列に向けて放送番組を送出する放送局の番組送出設備および伝送路切替方法に関する。
【背景技術】
【０００２】
従来放送局のスタジオでは、複数の放送番組の素材（コンテンツ）の映像信号をスイッチャで切替え、全国ネットで放送する放送番組で有れば、その映像信号を当該放送局のネットに向けて送信することにより番組信号を送出していた。
【０００３】
最近、デジタル放送の導入に伴い、既存のアナログ放送の系列にとらわれず、従来は異系列の放送局のネットに向けても同じ番組信号を配信する場合が生じている。これまでのアナログは放送番組のコンテンツ番組の選択、切替は、番組時刻表に従って自動番組送出装置のスイッチャが選択した信号を送信機や、系列局のネットに向けて送信してきた。
【０００４】
ところが、デジタル放送では、異系列のネットに番組信号を送信する場合は、その番組切替タイミングに伴いそれまで接続されていなかったネットと、自局のネットワークを接続することになる。
【０００５】
放送局の信号伝送処理は、コンテンツの切替はスイッチャが行い、送信機への現用系と予備系との間の切替は、番組送出装置に接続される伝送系統部に現用系と予備系との切替スイッチや切替リレーを設けて機能分担として行っており、異系列の放送局への番組信号切替もこの伝送系統部で行う。
【０００６】
図５は、従来の２系列のネットの番組信号を送出する番組信号切替システムの系統図である。  
図５において番組信号切替システムは、ＳＣＰ２０（Ｓｃｈｅｄｕｌｅ  Ｃｏｎｔｒｏｌ  Ｐｒｏｄｅｓｓｏｒ）、スイッチャ１０、コンテンツ源装置３０（＃１）〜（＃ｎ）、ネットインタフェース４０（＃１）、（＃２）と番組信号切替器５０と、ネットワークＮＷとを備えている。
【０００７】
ＳＣＰ２０は、図には示されないデータサーバから番組時刻表のデータを入力され、そのタイムスケジュールに従って番組信号のコンテンツを切り替えるスイッチャ１０を制御する。スイッチャ１０は、その選択された番組信号を出力するが、その出力は、２つの局系列の番組信号用にデータフォーマットを整える各ネットインタフェース４０に入力される。ネットインタフェース４０は、Ａ局系列か、Ｂ局系列かのＶＡＮＣ（補助データ）をそれぞれ挿入するＶＡＮＣ挿入装置が代表例である。そして、各局のインタフェースに整合された番組信号が、伝送路切替器５０に入力され、スイッチャ１０同様にＳＣＰ１０からの接続先や接続タイミングを指示する制御信号でネットワークＮＷへ向けて選択されて出力される。
【０００８】
ところが、伝送路切替器５０の様な系統切替手段は、スイッチや、リレーによる切替時に一時的な接続断やそれに伴うノイズが発生する。それを防ぐために、例えば、リレーにノイズが発生し難い水銀リレーを使う方法が採られている（例えば、特許文献１。）。また、ノイズ発生等の切替時の過渡現象のタイミングを避け、コンテンツ切替タイミングと時間差を設けて切替を行う（例えば、特許文献２。）などの制御処理がＳＣＰ２０によって実施される。
【０００９】
これら何れの方法もコンテンツの切替を行う送出設備の外部に伝送系統として独立したノイズ対策がなされた切替手段を設けなければならず、装置が大型化したりタイミング制御が複雑になる問題が有った。
【特許文献１】特開平１１−１１２８７６号公報  （第３頁、第１図）
【特許文献２】特開２００２−２９０３８４号公報  （第３頁、第１図）
【発明の開示】
【発明が解決しようとする課題】
【００１０】
従来、異なった放送局系列へ向けて番組信号を送信する場合には、コンテンツの切替を行う送出設備の外部に伝送系統として独立してノイズ対策が施された切替手段を設けなければならず、装置が大型化したりタイミング制御が複雑になる問題が有った。
【００１１】
本発明は上記問題を解決するためになされたもので、切替制御を容易かつ装置を大型化することなく異なった系列の放送局への番組信号を送出する番組送出設備および伝送路切替方法を提供することを目的とする。
【課題を解決するための手段】
【００１２】
上記目的を達成するために、本発明の番組送出設備は、放送番組の複数のコンテンツから選択された放送番組の番組信号を異なるネット系列の放送局へ送出する番組送出設備において、前記複数のコンテンツの中から放送番組の選択と前記選択された放送番組の送出先のネットワークを指定する制御信号をスイッチャに送信する接続制御手段と、ブランキングスイッチングを行うマトリクススイッチャであって、各前記コンテンツを送出する装置に対応して映像信号が入力されるコンテンツ入力端子と、前記受信する制御信号の指定に従って前記入力される映像信号の何れかが番組信号として選択して出力されるコンテンツ出力端子と、前記コンテンツ出力端子から出力された前記番組信号が入力される番組信号入力端子と、前記入力される番組信号の何れかが前記制御信号の指定に従って前記所定の前記ネット系列の放送局へのネットワークに出力される番組信号出力端子とを備えるスイッチャとを具備することを特徴とする。
【００１３】
また本発明の番組送出設備の伝送路切替方法は、接続制御手段とマトリクススイッチングを行うスイッチャとを備え、放送局の複数のコンテンツから選択された番組信号を異なるネット系列の放送局へ送出する番組送出設備の伝送路切替方法において、前記接続制御手段は、前記コンテンツの中から放送番組の選択と前記選択された放送番組の送出先のネットワークを指定する制御信号を前記スイッチャへ送信し、前記制御信号を受信する前記スイッチャは、前記複数のコンテンツ出力する各装置から出力される映像信号が前記各装置に対応するコンテンツ入力端子に入力され、前記入力される映像信号の何れかを前記制御信号の指定に従ったブランキングスイッチングを行い番組信号としてコンテンツ出力端子へ出力し、前記コンテンツ出力端子から出力された前記番組信号は、各所定の前記ネット系列の放送局に向けて入力される番組信号入力端子に入力され、前記番組信号入力端子に前記入力される番組信号の何れかが、前記制御信号の指定に従いブラキングスイッチングにより前記ネット系列の放送局向けに選択された前記番組信号として、前記所定の前記ネット系列の放送局へのネットワークに出力されることを特徴とする。
【発明の効果】
【００１４】
本発明によれば、切替制御を容易かつ装置を大型化することなく異なった系列の放送局への番組信号を送出する番組送出設備および伝送路切替方法を提供することができる。
【発明を実施するための最良の形態】
【００１５】
以下、図面を参照して本発明の実施例を説明する。
【実施例１】
【００１６】
図１は本発明の実施例１に係わる番組送出設備の機能を説明するブロック図である。  
図１において、番組送出設備は、スイッチャ１、ＳＣＰ（Ｓｃｈｅｄｕｌｅ  Ｃｏｎｔｒｏｌｌ  Ｐｒｏｃｅｓｓｏｒ）２、コンテンツ送出装置３（＃１〜＃ｎ）と、ネットインタフェース４（＃１、＃２）と、これらの構成間を接続する制御通信網６とを備えている。スイッチャ１は、コンテンツの入力先を選択して、その選択された番組信号を系列局のネットワーク１又は２を選択して送出する。
【００１７】
従来の番組送出設備のスイッチャ１はコンテンツ選択の機能しか有しておらず、ネットワークの接続先の切替は、外部の伝送系に設けられた切替手段で行っていた。しかし、本実施例では、スイッチャ１がコンテンツの選択切替と、ネットワーク接続先の切替の両方を行う。
【００１８】
ＳＣＰ２は、図示されないデータサーバから放送に先立って予め入力される番組時刻表のデータに従って、スイッチャ１のコンテンツ送出装置３と番組信号の送出先、即ちネットワークのクロスポイント設定制御を所定の番組時刻に対応するタイミングで行う。
【００１９】
即ち、ＳＣＰ２は、番組時刻表に対応して番組の信号の接続先、言い換えれば、スイッチャのクロスポイントの設定や切替タイミングを制御する制御信号をスイッチャ１に制御通信網６を介して送信する。そして、スイッチャ１は、受信する制御信号に従ってスイッチャに入力されるコンテンツの映像信号の選択と、その選択された映像信号を番組信号として出力するネットワークの接続先を切り替える。
【００２０】
スイッチャ１は、コンテンツ信号のスイッチング、切替に伴うチャタリングはじめ、過渡現象が所定のレベルに抑えられているブランキングスイッチングを行うマトリクススイッチャである。
【００２１】
また、スイッチャ１は、制御信号を自装置にリアルタイムプロセッサ（図示せず）が付属し、それによって入力された制御信号のデータを記憶するものでも良い。そして、リアルタイムプロセッサは、図示されない内部時計、または、図示されない局内時計等から入力される時刻情報と記憶した切替タイミングのデータとを参照して、所定の時刻タイミングでＳＣＰに指定されたコンテンツ送出装置から出力される番組信号と切り替える動作を行う。このリアルタイムプロセッサに係わる詳細処理については本発明の主旨には直接関係しないので、以後説明を省略する。
【００２２】
図１では、コンテンツの映像信号は、マトリクススイッチの各コンテンツ送出装置から入力される映像信号のライン、言い換えれば、コンテンツ入力端子（例えば、コンテンツ送出装置３（＃１）とする。）とコンテンツ選択ラインＣＬとのクロスポイント「Ｃ１」とがクローズして信号が接続されるとコンテンツ選択ラインＣＬのコンテンツ出力端子へ番組信号として出力される。クロスポイント「Ｃ１〜Ｃｎ」は、スイッチャ１へのコンテンツ信号の入力端子番号（Ｃ１〜Ｃｎ）と対応する。
【００２３】
そしてその番組信号は、ネット系列それぞれのＶＡＮＣ（補助信号）データが付与されるネットインタフェース４（＃１）、（＃２）を介した２系統の番組信号となる。この２系統の信号は、スイッチャ１の各系列用の番組信号入力端子へ接続される。
【００２４】
そして、スイッチャ１の各系列ネットのネットワークに接続されるネット選択ラインＮＬ１、ＮＬ２とのクロスポイント「Ｈ１」、「Ｈ２」がクローズするとそのポイントから各系列のネットワーク１又は２への番組信号として送出される。
【００２５】
Ｈ１、Ｈ２は、スイッチャ１への番組信号の入力端子番号と対応する。また、ここでは便宜上、ネット選択ラインＮＬ１、ＮＬ２がネットワークと接続される端子を番組信号出力端子と呼ぶ。
【００２６】
図２は、ＳＣＰ２がスイッチャ１を制御する為の管理テーブルである。  
図２において、ＳＣＰ２ではスイッチャ１が番組時刻表と対応して切替をするよう管理するため、番組時刻表の番組開始タイミングとスイッチャに接続されている装置又は、ネットワークとの間の切替等のコマンドがテーブルＴに記載されている。
【００２７】
このテーブルＴは、ＳＣＰ２の記憶装置（図示せず）上に書込まれて記憶され、このコマンドが前もって制御通信網６を介してスイッチャ１に送信されると、前述の如くスイッチャ１内部のリアルタイムプロセッサが、そのコマンドを内部メモリに記憶して内部時計等を参照して所定の時刻になるとクロスポイントの開閉処理を行う。
【００２８】
さて、図２のテーブルＴでは、１例としてコンテンツ送出装置３（＃１）のカメラ卓１から１２：００：００に天気予報「ＷＮ」が自系列のネットワーク１へ送出する。始めにコンテンツ送出装置３（＃１）のカメラ卓１の信号出力をコンテンツ信号として取り出すため、カメラ卓１の欄に「１２：００：００［ＣＬＸＣ１」の様に記載されている。
【００２９】
ここで、「１２：００：００」は切替タイミング、「ＣＬ」は、コンテンツ選択ライン、「Ｃ１」は、カメラ卓１からの信号入力端子、「Ｘ」は、クロスポイント（コンテンツ選択ラインＣＬとカメラ卓１の信号入力端子との信号が交差接続する。）をクローズする意味である。
【００３０】
そして、クロスポイントがクローズしてコンテンツ出力端子から出力された番組信号が、ネットインタフェース４（＃１）に入力され、そこで自分の系列局用の補助信号が付加された番組信号になる。この番組信号は、再びスイッチャの「Ｈ１」の番組信号入力端子へ接続される。
【００３１】
ネットワーク１は、ネット選択ラインＮＬ１、即ちネットワーク１用の番組信号出力端子に接続されている。従って、テーブルＴのネットワーク１の欄のコマンド「１２：００：００［ＮＬ１ＸＨ１」によって、選択されたカメラ卓１の映像信号がネットワーク１へ出力されることが分かる。
【００３２】
一方、他の系列向けのネットワーク２は、１２：００：００には信号は送出されないので、ネットワーク２にはスイッチャ１から信号が出力されないように切り離される。切り離しを意味する「ＤＳＣＮ」と共に、切り離しのコマンド「１２：００：００［ＤＳＣＮ」がネットワーク２の欄に記述される。
【００３３】
１２：０５：００からのスイッチャ１の動作は、上記説明から容易に類推出来るので重複部分は省略する。１２：０５：００からは、共同取材のスポーツ中継のコンテンツ送出装置３（＃２）であるカメラ卓２からの番組信号がカメラ卓１からの番組信号に代わってコンテンツ選択ラインＮＬに接続された番組信号出力端子へ出力される。
【００３４】
そして、その番組信号は、更に他の系列局へのネットワーク２へも送出されるので、ネットワーク２にもコマンドが「１２：０５：００［ＮＬ２ＸＨ２」とテーブルＴに書き込まれている。この様にしてネット系列１、２へ番組信号が送出される。
【００３５】
実施例１は、ネット系列（系統）とコンテンツの組み合わせが色々取れるので、ネットワーク接続先が番組送出設備の更に外部で変更された場合などにも対応が可能で、放送局の運用上システムの冗長性が高くなる。
【実施例２】
【００３６】
図３は本発明の実施例2に係わる番組送出設備の機能を説明するブロック図である。  
図３に示される実施例２の番組送出設備は、実施例１とは、ネットインタフェース４がスイッチャ１と接続される位置関係が異なる。実施例１では、選択された番組信号はスイッチャのコンテンツ出力端子Ｑから直ぐにネット系列毎のネットインタフェース４（＃１）（＃２）に並列入力される。そして、それぞれのネットインタフェース４（＃１）（＃２）で別のインタフェース処理による分岐が行われてから再びスイッチャ１の番組信号入力端子Ｈ１、Ｈ２に入力している。
【００３７】
実施例２では、それに対して分岐されたコンテンツ出力はそのまま再びスイッチャの番組信号入力端子Ｈ１、Ｈ２に並列入力され、スイッチャ１によりネット系列別に分配された番組出力端子に各ネット系列毎のネットインタフェース４（＃１）、（＃２）が接続されている。
【００３８】
どちらも各系列のネットワークにはそれぞれに適合した処理が行われた番組信号が入力されている。以上の点以外は、実施例１と実施例２とは同様である。
【実施例３】
【００３９】
図４は本発明の実施例3に係わる番組送出設備の機能を説明するブロック図である。  
図４において実施例３の番組送出設備は、実施例１はとスイッチャ１に接続されるネット局へ接続されるネットワークが１つで２つのネット系列の放送局で共用される（番組信号の出力先が１つであるだけ）点が異なっているが、それ以外のコンテンツの入力先の選択など他の処理手順は実施例１と同様である。
【００４０】
上記実施例１〜実施例３に対する説明では、系列が異なるネット局に向けて番組信号を送出する際に、各ネット系列局に合わせたネットインタフェースを介して送信しているがネットインタフェースを省略し、コンテンツの映像信号をそのまま分岐して各ネット系列の放送局へ向けてスイッチャを介して送信し、ネット系列局側でインタフェース処理を行うような場合で有っても本発明は適用される。
【００４１】
以上の説明の如く、本実施例ではスイッチャのブランキング機能により切替時に発生する信号断等の不具合が発生することが無く、かつコンテンツの選択とネットワーク伝送路の選択切替が同じタイミングで行われるので系統切替の管理が容易である。そして従来使用されている伝送路切替器がスイッチャ１で兼用されることにより省略されるので設備規模を小さくて済ませることができる。
【図面の簡単な説明】
【００４２】
【図１】本発明の実施例１に係わる番組送出設備の機能を説明するブロック図。
【図２】ＳＣＰがスイッチャを制御する為の管理テーブル。
【図３】本発明の実施例２に係わる番組送出設備の機能を説明するブロック図。
【図４】本発明の実施例３に係わる番組送出設備の機能を説明するブロック図。
【図５】従来の番組信号切替システムの系統図。
【符号の説明】
【００４３】
１  スイッチャ
２  ＳＣＰ（Ｓｃｈｅｄｕｌｅ  Ｃｏｎｔｒｏｌ  Ｐｒｏｃｅｓｓｏｒ）
３  コンテンツ送出装置
４  ネットインタフェース
６  制御通信網
【図１】
2008011440.tif 000003
【図２】
2008011440.tif 000004
【図３】
2008011440.tif 000005
【図４】
2008011440.tif 000006
【図５】
2008011440.tif 000007